(57)【特許請求の範囲】
【請求項１】
手動で開閉操作可能なスイッチ手段を含む電力供給回路を介して電源に接続される電気的照明手段、人感センサー及び制御手段を含む照明装置において、
該人感センサー及び該制御手段は該電力供給回路に並列接続された副回路に配設されており、
該スイッチ手段は該制御手段によっても開放可能であり、且つ該制御手段は計時手段を備えており、
該開閉スイッチが手動で閉成されて該照明手段が作動せしめられている状態において、該人感センサーが人体を検出しない状態が所定時間経過すると、該制御手段は該スイッチ手段を開放することによって該照明手段と共に該人感センサー及び該制御手段を該電源から切り離す、
ことを特徴とする照明装置。
【請求項２】
該照明手段はＬＥＤから構成されている、請求項１記載の照明装置。
【請求項３】
机に装備され且つ接続プラグを介して商用電源に接続されるスタンド型であり、該照明手段は机上を照明する、請求項１又は２記載の照明装置。
【発明の詳細な説明】
【技術分野】
【０００１】
本発明は、電気的照明手段と共に人感センサーを含む節電型照明装置に関する。
【背景技術】
【０００２】
下記特許文献１乃至３には、蛍光灯、白熱電灯或いはＬＥＤから構成することができる電気的照明手段と共に人体を検出する人感センサーとを含む節電型照明装置が開示されている。かような照明装置においては、手動で或いは人感センサーが人体を検出することによって開閉スイッチが閉成され照明手段が作動せしめられている状態において、人感センサーが人体を検出しなくなって所定時間が経過すると照明手段の作動が自動的に停止され、かくして開閉スイッチの開放が忘却される等に起因して不必要時に照明手段が作動し続けて電力が無駄に消費されることが回避される。
【先行技術文献】
【特許文献】
【０００３】
【特許文献１】特開２００５−２３５３９８号公報
【特許文献２】特開２００７−２２７３３０号公報
【特許文献３】特開２００９−２６６４２４号公報
【発明の概要】
【発明が解決しようとする課題】
【０００４】
而して、上述したとおりの従来の照明装置においては、人感センサーが人体を検出しない、従って照明手段を作動せしめる必要がない時には、照明手段の作動が停止せしめられ、これによって不必要時に照明手段が作動され続けて電力が無駄に消費されることが回避されるが、無駄な電力消費の回避が未だ充分ではない。更に詳述すると、人感センサーが人体を検出しなくなって所定時間が経過すると、照明手段の作動は停止されるが、人感センサー及び制御手段には電力が供給され続け、比較的少量ではあるが人感センサー及び制御手段において所謂待機電力が消費され続ける。
【０００５】
本発明は上記事実に鑑みてなされたものであり、その主たる目的は、人感センサーが人体を検出しなくなって所定時間が経過すると、照明手段による電力消費が停止されると共に人感センサー及び制御手段による待機電力消費も停止され、かくして無駄な電力消費の回避即ち節電が一層効果的に遂行される、新規且つ改良された照明装置を提供することである。
【課題を解決するための手段】
【０００６】
本発明者は、鋭意検討の結果、人感センサーが人体を検出しなくなって所定時間を経過すると、照明手段と共に人感センサー及び制御手段を電源から切り離すように構成することによって、上記主たる技術的課題を達成することができることを見出した。
【０００７】
即ち、本発明によれば、上記主たる技術的課題を達成する照明装置として、手動で開閉操作可能なスイッチ手段を含む電力供給回路を介して電源に接続される電気的照明手段、人感センサー及び制御手段を含む照明装置において、
該人感センサー及び該制御手段は該電力供給回路に並列接続された副回路に配設されており、
該スイッチ手段は該制御手段によっても開放可能であり、且つ該制御手段は計時手段を備えており、
該開閉スイッチが手動で閉成されて該照明手段が作動せしめられている状態において、該人感センサーが人体を検出しない状態が所定時間経過すると、該制御手段は該スイッチ手段を開放することによって該照明手段と共に該人感センサー及び該制御手段を該電源から切り離す、
ことを特徴とする照明装置が提供される。
【０００８】
該照明手段は他の形態の照明手段に比べて消費電力が少ないＬＥＤから構成されているのが好適である。好適実施形態においては、照明装置は机に装備され且つ接続プラグを介して商用電源に接続されるスタンド型であり、該照明手段は机上を照明する。
【発明の効果】
【０００９】
本発明の照明装置においては、人感センサーが人体を検出しなくなって所定時間が経過すると、制御手段によって開閉スイッチ手段が開放されて、照明手段と共に人感センサー及び制御手段が電源から切り離され、これによって照明手段による無駄な電力消費が回避されると共に、人感センサー及び制御手段により待機電力消費が回避され、かくして無駄な電力消費の回避即ち節電が一層効果的に遂行される。
【図面の簡単な説明】
【００１０】
【図１】本発明に従って構成された照明装置の好適実施形態を示す斜面図。
【図２】図１の照明装置の電気的構成要素を簡略に示す回路図。
【図３】図１の照明装置における作動制御フローチャート。
【発明を実施するための形態】
【００１１】
以下、本発明の照明装置の好適実施形態を図示している添付図面を参照して、更に詳細に説明する。
【００１２】
図１を参照して説明すると、図示の照明装置は机３の上に載置される（単なる載置に代えて適宜の連結具を介して机３に解除自在に連結することもできる）スタンド型照明装置２として構成されている。この照明装置２は静止枠４、可動枠６及び支持枠８から構成された支持枠構造を含んでいる。静止枠４は机上に載置するための略Ｔ字状脚部１０とこの脚部１０から上方に延出する直立部１２を有する。可動枠６はその下端部が静止枠４の上端部に適宜の連結機構を介して旋回自在に連結されており、実質上水平に延びる旋回軸線を中心として矢印Ａ及びＢで示す方向に旋回自在である。支持枠８はその基端部が可動枠６の上端部に適宜の連結機構を介して旋回自在に連結されており、実質上水平に延びる旋回軸線を中心として矢印Ｃ及びＤで示す方向に旋回自在である。
【００１３】
静止枠４には電源コード１４が付設されており、この電源コード１４の先端にはプラグ１６が配設されている。静止枠４の直立部前面には、スイッチ手段１８及び人感センサー２０が配設されている。それ自体は周知の形態でよいスイッチ手段１８は、手動で開閉操作することができると共に、後述する制御手段によっても開放され得る形態である。それ自体は周知の適宜の形態のセンサーから構成することができる人感サンサー２０は、椅子に着座して机上で作業する人体の存在を検出する。支持枠８の前半部内には、消費電力が小さいＬＥＤであるのが好都合である電気的照明手段２２が着脱自在に装着されている。
【００１４】
図１と共に図２を参照して説明を続けると、上記照明手段２２は電力供給回路２４を介してプラグ１６に接続されており、電力供給回路２４には上記スイッチ手段１８が配設されている。従って、プラグ１６を商用電源のコンセント（図示していない）に接続し、スイッチ手段１８を閉成すれば、照明手段２２に電力が供給されて照明手段２２が作動即ち点灯される。電力供給回路２４には副回路２６が付設されており、この副回路２６には上記人感センサー２０と共に制御手段２８が接続されている。マイクロコンピュターから構成することができる制御手段２８は計時手段３０を内蔵している。人感センサー２０は、例えば人体を検出しているときには検出信号を制御手段２８に送信し、人体を検出していないときには信号を発信しない。制御手段２８は、ソレノイドの如き適宜の作動器（図示していない）を介してスイッチ手段１８を開放することができる。
【００１５】
図１及び図２と共に図３を参照して、本発明に従って構成された照明装置２の作用を説明すると、次のとおりである。プラグ１６が商用電源のコンセントに接続されている状態において、ステップｎー１においてスイッチ手段１８が手動で閉成されると、照明手段２２に電力が供給されて照明手段２２が作動され机上が照明され、そしてまた人感センサー２０及び制御手段２８にも所要電力が供給される。ステップｎ−２においては、人感センサー２０が人体を検出しているか否かが判別される。人感センサー２０が人体を検出していない時にはステップｎー３に進み、人感センサー２０が人体を検出しなくなってから所定時間、例えば５分間、が経過したか否かが判別される。所定時間を経過していない時はステップｎ−２に戻るが、所定時間を経過するとステップｎ−４に進み、制御手段２８によってスイッチ手段１８が開放される。かくして、照明手段２２が電源から切り離されると共に人感センサー２０及び制御手段２８も電源から切り離され、照明手段２２による不必要な電力消費が回避されると共に、人感センサー２０及び制御手段２８による待機電力消費も回避される。照明手段２２を再び作動せしめるためには、スイッチ手段１８を手動で閉成すればよい。制御手段２８によるスイッチ手段１８の開放に先立って、手動によってスイッチ手段１８を開放し、これによって照明手段２２と共に人感センサー２０及び制御手段２８を電源から切り離すこともできる。
【符号の説明】
【００１６】
２：照明装置
１４：電源コード
１６：プラグ
１８：スイッチ手段
２０：人感センサー
２２：照明手段
２８：制御手段
３０：計時手段
【図１】
0005946997.tif 000002
【図２】
0005946997.tif 000003
【図３】
0005946997.tif 000004